(57)【要約】【課題】表示している中間調の階調が経時的に変化してしまうことを低減する。【解決手段】図示の電気泳動表示装置は画素単位で帯電泳動粒子３を移動させることに基づき種々の画像を表示するようになっている。駆動に際しては、図２（ａ）  に示すように帯電泳動粒子３を第２電極５に吸着させ、その後、第１電極４の電圧を切り換えて帯電泳動粒子３を該第１電極４の方へ移動させる（同図（ｂ）  参照）。そして、所定のタイミングで第３電極６の電圧を切り換え（同図（ｃ）  参照）、第２電極５の近傍に残存していた帯電泳動粒子３を第３電極６の方へ移動してしまう。かかる場合、表示に寄与するのは第１電極４を覆うように配置されている帯電泳動粒子３であるが、第１電極４と第３電極６とは離れているために、帯電泳動粒子３が第３電極６から第１電極４の方へ移行しづらく、表示階調は安定的に保持される。【選択図】      図２
2004219841.tif 000002
【特許請求の範囲】
【請求項１】
所定間隙を開けた状態に配置された表示側基板及び後方側基板と、これらの基板の間隙に配置された絶縁性液体及び複数の帯電泳動粒子とを備えた電気泳動表示装置に電界をかけて前記帯電泳動粒子を移動させることに基づき表示を行う電気泳動表示装置の駆動方法において、
前記電気泳動表示装置が、前記絶縁性液体に近接するように各画素に配置された第１乃至第３電極を備え、かつ、
前記駆動方法が、
前記帯電泳動粒子を前記第２電極に引き付けることにより、該粒子を画素中の比較的狭い領域に集積させて視認されにくくするリセット工程と、
前記集積された状態の帯電泳動粒子を前記第１電極に引き付けることにより、該粒子を画素中の比較的広い領域に配置させて視認され易くする書き込み工程と、
前記第２電極の近傍に残存している帯電泳動粒子を前記第３電極に移行させてしまい前記第１電極への帯電泳動粒子の移行を制限する表示保持工程と、
を備え、
前記書き込み工程の後で前記表示保持工程を開始させるタイミングを制御することにより、前記第１電極の領域に配置される帯電泳動粒子の量を制御し、画素の表示階調を制御する、
ことを特徴とする電気泳動表示装置の駆動方法。
【発明の詳細な説明】
【０００１】
【発明の属する技術分野】
本発明は、帯電泳動粒子を移動させることに基づき表示を行うようにした電気泳動表示装置の駆動方法に関する。
【０００２】
【従来の技術】
近時、電界を印加して帯電泳動粒子を移動させることにより表示を行うようにした電気泳動表示装置が、非発光型の表示デバイスとして注目されている。
【０００３】
この電気泳動表示装置は、所定間隙を開けた状態に配置された一対の基板と、その基板間隙に注入された絶縁性液体と、該絶縁性液体に分散された多数の帯電泳動粒子と、該絶縁性液体に近接するように配置された一対の電極と、を備えており、電極に電圧を印加することにより帯電泳動粒子を任意の方向に移動できるように構成されている。そして、帯電泳動粒子の位置を変化させることにより表示色を画素毎に変え、装置全体で画像を表示するようになっている。
【０００４】
このような電気泳動表示装置において中間調のある表示を行う場合、電圧によって電極に引き付けられる帯電泳動粒子を制御して帯電泳動粒子の分散状態を変えることで中間調を表示している（例えば、特許文献１及び特許文献２参照。）。
【０００５】
【特許文献１】
特開２００２−１１６７３３号公報
【特許文献２】
特開２００２−１１６７３４号公報
【０００６】
【発明が解決しようとする課題】
しかしながら、従来の電気泳動表示装置では、中間調を表示している状態において、帯電泳動粒子の一部は絶縁性液体中を浮遊しており、そのため長時間同一の場所にとどまらせることが難しく、時間が経つと表示状態（表示階調）が変化してしまうことがあった。
【０００７】
また、電気泳動表示装置をアクティブマトリクス型（つまり、図３及び図４に示すように各画素の電極にスイッチング素子１０を接続したような構成のもの）として静止画を表示しようとした場合、画像形成後、電圧を印加しつづけると帯電泳動粒子は移動してしまい画像が変化してしまうという問題もあった。かかる問題を回避すべく電圧印加を止めて画素内を無電界状態にしようとしても、各画素の補助容量（図４の符号１１参照）に残留する電荷によって形成される残留電界により、帯電泳動粒子が移動してしまうことがあり、安定な静止画を表示することが困難であった。
【０００８】
そこで、本発明は、表示階調の変化を低減できる電気泳動表示装置の駆動方法を提供することを目的とするものである。
【０００９】
【課題を解決するための手段】
本発明は上記事情を考慮してなされたものであり、所定間隙を開けた状態に配置された表示側基板及び後方側基板と、これらの基板の間隙に配置された絶縁性液体及び複数の帯電泳動粒子とを備えた電気泳動表示装置に電界をかけて前記帯電泳動粒子を移動させることに基づき表示を行う電気泳動表示装置の駆動方法において、
前記電気泳動表示装置が、前記絶縁性液体に近接するように各画素に配置された第１乃至第３電極を備え、かつ、
前記駆動方法が、
前記帯電泳動粒子を前記第２電極に引き付けることにより、該粒子を画素中の比較的狭い領域に集積させて視認されにくくするリセット工程と、
前記集積された状態の帯電泳動粒子を前記第１電極に引き付けることにより、該粒子を画素中の比較的広い領域に配置させて視認され易くする書き込み工程と、
前記第２電極の近傍に残存している帯電泳動粒子を前記第３電極に移行させてしまい前記第１電極への帯電泳動粒子の移行を制限する表示保持工程と、
を備え、
前記書き込み工程の後で前記表示保持工程を開始させるタイミングを制御することにより、前記第１電極の領域に配置される帯電泳動粒子の量を制御し、画素の表示階調を制御する、ことを特徴とする。
【００１０】
【発明の実施の形態】
以下、図１乃至図１３を参照して、本発明の実施の形態について説明する。
【００１１】
ここで、図１は、本発明に係る電気泳動表示装置の構造の一例を示す断面図であり、図２は、本発明に係る電気泳動表示装置の駆動方法の一例を示す断面図であり、図３は、本発明に係る電気泳動表示装置の構造の他の例（アクティブマトリックス型）を示す断面図であり、図４は、アクティブマトリックス型電気泳動表示装置の構成を示す回路図である。また、図５は、アクティブマトリックス型電気泳動表示装置の表示状態の一例を示す模式図であり、図６は、書き込み動作（書き込み工程）時の電圧印加条件を説明するための図であり、図７は、書き込み動作（書き込み工程）時の各画素の印加電圧を示す模式図である。さらに、図８は、書き込み動作期間の長さ等を説明するための図であり、図９は、書き込み動作期間の長さ決定方法を説明するための図である。なお、本発明に係る電気泳動表示装置は複数の画素を有するが、図面では便宜上１つの画素の構成のみ示している。
【００１２】
本発明に係る電気泳動表示装置は、図１（ａ）  （ｂ）  に示すように、所定間隙を開けた状態に配置された表示側基板１ａ及び後方側基板１ｂと、これらの基板１ａ，１ｂの間隙に配置された絶縁性液体２及び複数の帯電泳動粒子３と、を備え、電界をかけて前記帯電泳動粒子３を移動させることに基づき表示を行うように構成されている。
【００１３】
この電気泳動表示装置は、前記絶縁性液体２に近接するように各画素Ｅに配置された第１乃至第３電極４，５，６を備えており、いずれの電極４，５，６も、所定の電圧印加条件の下、帯電泳動粒子３を引き付けることができるようになっている。但し、
・  前記第１電極４に引き付けられた場合の帯電泳動粒子３は、視認されるように画素中の比較的広い領域に配置され、
・  前記第２電極５や前記第３電極６に引き付けられた場合の帯電泳動粒子３は、視認されにくいように画素中の比較的狭い領域に集積される、
ように構成されている。
【００１４】
なお、“広い領域”及び“狭い領域”とは、基板１ａ，１ｂに沿った面の領域を意味するものとする。表示側基板１ａの側から電気泳動表示装置を観察した場合、帯電泳動粒子３が広い領域に配置された場合には帯電泳動粒子３の色が画素の色として認識され、帯電泳動粒子３が狭い領域に集積された場合には（帯電泳動粒子３は視認されにくくなって代わりに）第１電極４が配置されている領域（以下、“第１電極領域”とする）の色が画素の色として認識されることとなる。本発明に係る電気泳動表示装置は原理的にはこのような現象を利用して表示を行うようになっている。
【００１５】
また、「表示側基板」とは、表示を観察する方の側に配置される基板を意味し、「後方側基板」とは、その背後に配置される方の基板を意味するものとする。
【００１６】
ところで、上述のように「前記第１電極４に引き付けられた場合の帯電泳動粒子３が画素中の比較的広い領域に配置される」ようにするには、該第１電極４を前記後方側基板１ｂに沿った広い領域に形成すると良い。また、「前記第２電極５に引き付けられた場合の帯電泳動粒子３が画素中の比較的狭い領域に集積される」ようにするには、該第２電極５を画素Ｅと画素Ｅとの境界部分Ｆに配置すると良い。同様に、「前記第３電極６に引き付けられた場合の帯電泳動粒子３が画素中の比較的狭い領域に集積される」ようにするには、該第３電極６を画素Ｅと画素Ｅとの境界部分Ｆに配置すると良い。かかる場合、第２電極５と第３電極６とは互いに離間した位置に配置して互いの電気的導通を回避しておく必要がある。なお、第２電極５や第３電極６を配置できる位置としては、
・  画素と画素との境界部分Ｆであって後方側基板１ｂの近傍や
・  画素と画素との境界部分Ｆであって表示側基板１ａの近傍
を挙げることができる。つまり、第１電極４、第２電極５及び第３電極６の配置位置としては図１（ａ）  及び（ｂ）  に示す２通りを挙げることができる。
【００１７】
一方、前記表示側基板１ａ及び前記後方側基板１ｂの間隙であって画素と画素との境界部分Ｆには何らかの部材（以下、“間隙部材”とする）７を配置すると良い。そして、前記第２電極５が、前記間隙部材７と前記表示側基板１ａとの間、或いは前記間隙部材７と前記後方側基板１ｂとの間のいずれか一方に配置され、前記第３電極６が、前記間隙部材７と前記表示側基板１ａとの間、或いは前記間隙部材７と前記後方側基板１ｂとの間のいずれか他方に配置されていると良い。つまり、前記第２電極５及び第３電極６が、前記間隙部材７と前記表示側基板１ａとの間、及び前記間隙部材７と前記後方側基板１ｂとの間にそれぞれ配置されていると良い。また、第２電極５や第３電極６は間隙部材７の内部に形成しても良い。さらに、第２電極５や第３電極６は、隔壁部材７と他の層を介して基板上或いは基板内部に配置しても良い。また、これらの第２電極５や第３電極６は、境界部分Ｆから画素Ｅの方へ多少はみ出しても良い。
【００１８】
上述した帯電泳動粒子３や第１電極領域には色を付す必要がある。例えば、
・  帯電泳動粒子３を黒色にし、第１電極領域を白色にしたり、
・  帯電泳動粒子３を白色にし、第１電極領域を黒色にしたり、
配色の組み合わせは自由である。また、カラー表示をしたい場合には、帯電泳動粒子３を黒色又は白色にした上で第１電極領域の色を画素毎に異ならせると良い。第１電極領域の色としては、赤・緑・青色、或いはイエロー・シアン・マゼンダ等を挙げることができる。
【００１９】
ここで、第１電極領域に色を付すとは、
・  電極自体に色を付す場合だけでなく、
・  電極自体に色を付さないで、電極を覆うように形成した絶縁層に色を付す場合（例えば、絶縁層自体の色を利用する方法、あるいは絶縁層に着色材料を混ぜ込む方法）や、
・  電極自体に色を付さないで、電極を覆うように着色層（絶縁層でない層）を設ける場合、
を意味するものとする。
【００２０】
ところで、各電極４，５，６を覆うように絶縁層（図１には、第１電極４の絶縁層８のみ図示）を形成すると良く、絶縁層を形成した場合には、各電極４，５，６から帯電泳動粒子３への電荷注入を防止できる。この絶縁層に用いる材料としては、薄膜でもピンホールが形成されにくく、低誘電率の材料、具体的には、アモルファスフッ素樹脂、高透明ポリイミド、アクリル樹脂等が好ましい。
【００２１】
間隙部材７としては、
・  基板間隙を規定するためのスペーサや、
・  他の画素への帯電泳動粒子３の移動を防止するための隔壁部材
を挙げることができる。スペーサの場合は基板間隙を規定すれば足りるため画素を囲むようには必ずしも配置されていなくても良いが、隔壁部材の場合は、その役割上画素を囲むように配置されている必要がある。間隙部材７は、基板１ａ，１ｂと同一の材料で形成しても、他の材料（アクリルなどの感光性樹脂）で形成しても良い。間隙部材７の形成にはどのような方法を用いてもよい。例えば、光感光性樹脂層を塗布した後露光及びウエット現像を行う方法、又は別に作製した障壁を接着する方法、印刷法によって形成する方法等を用いることができる。
【００２２】
基板１ａ，１ｂには、ポリエチレンテレフタレート（ＰＥＴ）やポリカーボネート（ＰＣ）やポリエーテルサルフォン（ＰＥＳ）等のプラスチックフィルムの他、ガラスや石英等を使用することができる。表示側基板１ａには透明な材料を使用しなければならないが、後方側基板１ｂにはポリイミド（ＰＩ）などの着色されているものを用いても良い。
【００２３】
電極４，５，６は、パターニングが可能な導電性材料ならどのような材料で形成しても良い。例えば、チタン（Ｔｉ）、アルミニウム（Ａｌ）、銅（Ｃｕ）等の金属あるいはカーボンや銀ペースト、あるいは有機導電膜などが使用できる。第１電極４を光反射層としても利用する場合は、銀（Ａｇ）あるいはＡｌ等の光反射率の高い材料を好適に使用する。この第１電極４を白色表示として使用する場合は、電極表面そのものに光が乱反射するように表面凹凸をつけるか、あるいは電極上に光散乱層を形成しておく。
【００２４】
絶縁性液体２には、イソパラフィン、シリコーンオイル及びキシレン、トルエン等の非極性溶媒であって透明なものを使用すると良い。
【００２５】
帯電泳動粒子３としては、着色されていて絶縁性液体２中で正極性又は負極性の良好な帯電特性を示す材料を用いると良い。例えば、各種の無機顔料や有機顔料やカーボンブラック、或いは、それらを含有させた樹脂を使用すると良い。粒子の粒径は通常０．０１μｍ〜５０μｍ程度のものを使用できるが、好ましくは、０．１から１０μｍ程度のものを用いる。
【００２６】
なお、上述した絶縁性液体２中や帯電泳動粒子３中には、帯電泳動粒子３の帯電を制御し安定化させるための荷電制御剤を添加しておくと良い。かかる荷電制御剤としては、モノアゾ染料の金属錯塩やサリチル酸や有機四級アンモニウム塩やニグロシン系化合物などを用いると良い。
【００２７】
また、絶縁性液体２中には、帯電泳動粒子３同士の凝集を防いで分散状態を維持するための分散剤を添加しておいてもよい。かかる分散剤としては、燐酸カルシウム、燐酸マグネシウム等の燐酸多価金属塩、炭酸カルシウム等の炭酸塩、その他無機塩、無機酸化物、あるいは有機高分子材料などを用いることができる。
【００２８】
次に、本発明に係る電気泳動表示装置の駆動方法について説明する。
【００２９】
本発明に係る電気泳動表示装置の駆動方法は、
・  前記帯電泳動粒子３を前記第２電極５に引き付けることにより、該粒子３を画素中の比較的狭い領域に集積させて視認されにくくするリセット工程と、
・  前記集積された状態の帯電泳動粒子３を前記第１電極４に引き付けることにより、該粒子３を画素中の比較的広い領域に配置させて視認され易くする書き込み工程と、
・  前記第２電極５の近傍に残存している帯電泳動粒子３（つまり、第１電極４の方へ移行されておらず第２電極５に残っている帯電泳動粒子３）を前記第３電極６に移行させてしまい前記第１電極４への帯電泳動粒子３の移行を制限する表示保持工程と、
を備えている。そして、該駆動方法は、前記書き込み工程の後で前記表示保持工程を開始させるタイミングを制御することにより、前記第１電極領域に配置される帯電泳動粒子３の量を制御し、画素の表示階調を制御するようになっている。
【００３０】
なお、前記リセット工程、前記書き込み工程及び前記表示保持工程はいずれの画素に対しても行えば良いが、「前記書き込み工程の後で前記表示保持工程を開始させるタイミング」は画素単位で独立に制御し、画素毎に異なる階調を表示できるようにする必要がある。
【００３１】
また、前記表示保持工程は、その画素の表示状態が所望の階調となった時点で開始する、ようにすると良い。この表示保持工程により、第２電極５から第１電極４への所望量以上の帯電泳動粒子３の移行を制限し、表示階調を正確に制御することができる。
【００３２】
以下、本発明に係る電気泳動表示装置の駆動方法を図２（ａ）  〜（ｃ）  に沿って説明する。なお、図２中の符号Ｖａはオフ電圧を示し、符号Ｖｂはオン電圧を示し、符号Ｖｃは非コレクト電圧を示し、符号Ｖｄはコレクト電圧を示し、符号Ｖｃｏｍは基準電圧を示す。ここで、オン電圧Ｖｂとコレクト電圧Ｖｄは帯電泳動粒子３を引き寄せることができ、オフ電圧Ｖａと非コレクト電圧Ｖｃは帯電泳動粒子３を引き寄せることはできない。また、図２の電気泳動表示装置はスイッチング素子１０（詳細は後述）を備えているが、図１の電気泳動表示装置のようにスイッチング素子を備えていなくても良い。
【００３３】
駆動に際しては、まず、図２（ａ）  に示すように、第１電極４にオフ電圧Ｖａ、第２電極５にＶｃｏｍ、第３電極６に非コレクト電圧Ｖｃを印加すると、帯電泳動粒子３は第２電極５に引き付けられて集積され、第１電極領域が露出されて該領域の色（例えば、白色）の表示がなされる（リセット動作）。
【００３４】
次に、同図（ｂ）  に示すように、第２電極５及び第３電極６の電圧はそのままで、第１電極４をオフ電圧Ｖａからオン電圧Ｖｂに切り換えると、集積されていた帯電泳動粒子３は第１電極４の方へ移行を開始する（書き込み動作）。
【００３５】
次に、帯電泳動粒子３が移動をしている途中の適切なタイミングで、第３電極６の電圧を非コレクト電圧Ｖｃからコレクト電圧Ｖｄに切り換える。その結果、同図（ｃ）  に示すように、第２電極５近傍に残留している帯電泳動粒子３が第３電極６側にも移動することとなる。つまり、帯電泳動粒子３は、第１電極４側に移動する一方で、帯電泳動粒子３の一部が第３電極６側に移動することになり、帯電泳動粒子３は第１電極４側及び第３電極６側に集められることになる。第３電極６側に集められた帯電泳動粒子３は表示にはあまり関与せず、第１電極４を覆うように配置された帯電泳動粒子３が表示に関与することとなり、その広がりの程度（配置の程度）によって表示階調が決定される。
【００３６】
なお、表示階調（すなわち、帯電泳動粒子３の広がりの程度）は、“第３電極６にコレクト電圧Ｖｄを印加するタイミング”により制御することができる。
【００３７】
ところで、上述した電気泳動表示装置は、各画素にスイッチング素子を配置したアクティブマトリックス型にすると良い。以下、このアクティブマトリックス型電気泳動表示装置について図３及び図４に沿って説明する。
【００３８】
アクティブマトリクス型の電気泳動表示装置では後方側基板１ｂにスイッチング素子１０を形成する。このスイッチング素子１０には、薄膜トランジスタ（Ｔｈｉｎ  Ｆｉｌｍ  Ｔｒａｎｓｉｓｔｏｒ：以下、ＴＦＴと称する）などを用いると良い。このスイッチング素子１０は各画素に配置されてそのドレイン電極が第１電極４に接続され、該電極４に信号を印加するようになっている。スイッチング素子１０は第１電極４の底部に接続すると良い。なお、第１乃至第３電極４，５，６は上述と同様に各画素において絶縁性液体２に近接するように配置すると良い。全画素の第２電極５を電気的に接続しておき、同じ電圧を印加できるようにすると良い。
【００３９】
また、図３には記載されていないが、第１電極４に補助容量（図４の符号１１参照）を接続すると良い。スイッチング素子１０をオンにして補助容量１１を一旦充電すれば、その後にスイッチング素子１０をオフにしても補助容量１１の蓄積電荷によって帯電泳動粒子３の移動を継続させることができる。この他、配線、あるいは表示領域周囲に走査用、及びデータ用の駆動回路等、表示に必要なものを配置すると良い。
【００４０】
また、図４に示すように、複数の走査ライン１２及びデータライン１３をマトリックス状に配置し、上述したスイッチング素子１０はそれらのライン１２，１３の交差部に配置すると良い。そして、スイッチング素子１０のゲート電極は走査ライン１２に接続し、ソース電極はデータライン１３に接続すると良い。かかる場合、スイッチング素子１０は、走査ライン１２から入力される信号に応じて前記データライン１３と前記第１電極４とを導通又は非導通状態に切り換えることとなる。また、走査ドライバ１４やデータドライバ１５を配置し、上述した走査ライン１２は走査ドライバ１４に接続し、データライン１３はデータドライバ１５に接続すると良い。走査ドライバ１４、及びデータドライバ１５は、ドライバＩＣとしてパッケージ化されたものを実装しても良いし、スイッチング素子１０と共通の製造プロセスで形成しても良い。
【００４１】
各画素の第２電極５は電気的に接続して同一電位に保持できるようにすると良い。
【００４２】
以下、アクティブマトリクス型電気泳動表示装置の駆動方法について図５乃至図１３に沿って説明する。
【００４３】
ある走査ライン１２がアクティブになると、その走査ライン１２に接続された全スイッチング素子１０はオン状態となり、このときデータドライバ１５から出力された電圧が、スイッチング素子１０を介して第１電極４に印加される。
【００４４】
各画素の第２電極５は少なくとも走査ライン毎に互いに接続されて同一の信号が供給される。
【００４５】
各画素の第３電極６は少なくとも走査ライン毎に互いに接続されて同一の信号が供給される。
【００４６】
そして、第１電極４、第２電極５、及び第３電極６との間に発生する電界により帯電泳動粒子３が移動することになる。
【００４７】
いま、便宜上、
・  電気泳動表示装置の画素を図５に示すように５×５個とし、
・  表示階調は５段階（以下、階調レベル１〜５とする）とし、
・  電気泳動表示装置全体では図５に示すような表示を行う、
ものとする。このアクティブマトリックス型電気泳動表示装置においても上述と同様のリセット動作、次に書き込み動作、最後に表示保持動作を行う。また、符号Ｖａはオフ電圧を示し、符号Ｖｂはオン電圧を示し、符号Ｖｃは非コレクト電圧を示し、符号Ｖｄはコレクト電圧を示し、符号Ｖｃｏｍは基準電圧を示す。そして、第２電極５の電圧がＶｃｏｍで、第１電極４がオフ電圧Ｖａで、第３電極６が非コレクト電圧Ｖｃの場合には、帯電泳動粒子３は第２電極５に引き付けられ（図２（ａ）  参照）、第１電極４をオン電圧Ｖｂにした場合には帯電泳動粒子３は第１電極４に引き付けられ（同図（ｂ）  参照）、第３電極６をコレクト電圧Ｖｄにした場合には帯電泳動粒子３は第３電極６に引き付けられる（同図（ｃ）  参照）ものとする。以下、各動作について説明する。
【００４８】
＜リセット動作＞
最初にリセット動作として、全画素において第１電極４にオフ電圧Ｖａを印加し、第２電極５にＶｃｏｍを印加し、第３電極６に非コレクト電圧Ｖｃを印加する。その結果、各画素において帯電泳動粒子３は第２電極５に引き寄せられた（図２（ａ）  参照）。
【００４９】
＜書き込み動作＞
この書き込み動作を行う期間を複数のフィールド期間に分割し（つまり、前記書き込み工程が複数のフィールド期間に分割され）、どのフィールド期間で第１電極４の電圧を切り換えるかによって表示階調を制御する（つまり、前記第１電極にオン電圧を印加しているフィールド期間の数を表示階調に応じて変える）ようになっている。
【００５０】
表示階調を上述のように５段階にするには、フィールド期間を４つにして５通りの電圧印加を可能にする必要がある。以下、図６に沿って説明する。なお、図６の符号Ａは、１フィールド書き換え期間であり、走査ドライバ１２の出力により、第１走査ラインから第５走査ラインまで順次に選択して第１電極４および補助容量１１に電圧を印加し、補助容量１１に電荷を充電している期間を示す（以降の説明図でも同様）。また、図６の符号Ｂは、充電された補助容量１１により第１電極４の電圧が保持されている期間（以降の説明図でも同様）を示す。このＢ期間では、時間が経つにつれて、補助容量１１の電荷がスイッチング素子１０のオフ抵抗を介して抜けていくため、徐々に電圧降下が生じている。ところで、
・  階調レベル１を達成するには、第１電極４の電圧は全てのフィールド期間においてオン電圧Ｖｂとし（図６（ａ）  参照）、
・  階調レベル２を達成するには、第１電極４の電圧は最初の１フィールド期間はオフ電圧Ｖａとして残りの３フィールド期間はオン電圧Ｖｂとし（図６（ｂ）  参照）、
・  階調レベル３を達成するには、第１電極４の電圧は最初の２フィールド期間はオフ電圧Ｖａとして残りの２フィールド期間はオン電圧Ｖｂとし（図６（ｃ）  参照）、
・  階調レベル４を達成するには、第１電極４の電圧は最初の３フィールド期間はオフ電圧Ｖａとして残りの１フィールド期間はオン電圧Ｖｂとし（図６（ｄ）  参照）、
・  階調レベル５を達成するには、第１電極４の電圧は全てのフィールド期間においてオフ電圧Ｖａとする（図６（ｅ）  参照）、
と良い。
【００５１】
図５に示す表示を行う場合、フィールド期間毎・画素毎の印加電圧（第１電極４の印加電圧）を図示すると図７（ａ）  〜（ｄ）  に示すようになる。つまり、最初のフィールド期間では（ａ）  に示すようにＶａ又はＶｂの電圧を各画素の第１電極４に印加し、次のフィールド期間では（ｂ）  に示すように印加し、さらに、（ｃ）  （ｄ）  に示すように印加する。
【００５２】
なお、書き込み動作中は、第２電極５にはＶｃｏｍを印加し、第３電極６には非コレクト電圧Ｖｃを印加しておく。
【００５３】
ところで、この書き込み動作期間の長さ（図８の符号Ｔ参照）は、帯電泳動粒子３の移動時間（応答性）を加味して決定すれば良い。図８は、横軸が時間軸であり、符号Ｓが書き込み動作開始時を示し、符号Ｅが書き込み終了時を示す。書き込み動作開始（Ｓ）から書き込み動作終了（Ｅ）までの時間Ｔは、
・  帯電泳動粒子３が第２電極５に集められたリセット状態（図９（ａ）  に示す状態）から
・  帯電泳動粒子３が第１電極４へ移動して黒表示が完了するまでの状態（同図（ｂ）  に示す状態）
に移行するために必要な時間とすることが好ましい。なお、図中の符号ｆ１〜ｆｎは、フィールド期間が切り換わるタイミング（すなわち、図６にて述べたように、第１電極４の電圧を適宜オフ電圧Ｖａからオン電圧Ｖｂに切り換えるタイミング）を示す。フィールドが切り換わるタイミングの間隔は、等間隔にしても良いし、個別に設定して異ならせても良く、Ｔを表示する階調数に応じて適当に分割する。フィールド数ｎの場合、（ｎ＋１）の階調レベルを実現できる。フィールド数ｎを増やすことにより階調数を増やすことが可能である。
【００５４】
＜表示保持動作＞
書き込み動作終了後、第３電極６の電圧を非コレクト電圧Ｖｃからコレクト電圧Ｖｄに切り換えて表示保持動作を行う。なお、その間、第１電極４への電圧印加は行わず、全画素のスイッチング素子１０をオフにすると良い。
【００５５】
第３電極６においてコレクト電圧Ｖｄへの電圧切り換えは書き込み動作終了直後に行ってもよいが、以下の説明のように行うとより好ましい。
【００５６】
この表示保持動作においては第３電極６の電圧を上述のように非コレクト電圧Ｖｃからコレクト電圧Ｖｄに切り換えるが、その切り換えは、
・  同じ走査ライン１２に接続された複数の第３電極６については同時に行い、しかも、
・  第１走査ライン１２から第２走査ライン１２、第３走査ライン１２，…について順次行う、
と良い。図１０は、表示保持動作における走査方法を説明するための図である。この表示保持動作の期間を、１走査ライン選択期間と同一の長さの間隔Ｃに分割し、
・  第１走査ラインの電圧切り換えは、書き込み動作終了と同時に行い（同図（ａ）  の太線参照）、
・  第２走査ラインの電圧切り換えは、１番目の期間Ｃの終了と同時に行い（同図（ｂ）  の太線参照）、
・  第３走査ラインの電圧切り換えは、２番目の期間Ｃの終了と同時に行い（同図（ｃ）  の太線参照）、
・  第４走査ラインの電圧切り換えは、３番目の期間Ｃの終了と同時に行い（同図（ｄ）  の太線参照）、
・  第５走査ラインの電圧切り換えは、４番目の期間Ｃの終了と同時に行う（同図（ｅ）  の太線参照）、
と良い。つまり、第３電極６のコレクト電圧Ｖｄへの切り換えタイミングは走査ライン毎に異ならせると良い。また、第３電極６のコレクト電圧Ｖｄへの切り換えタイミングは走査ラインを順次選択するタイミングと同一にすると良い。ＤはＡの１フィールド書き換え期間と同一の時間長である（以降の説明図でも同様）。
【００５７】
このように行う理由は、以下に記述する通りである。
【００５８】
フィールドが切り換わる場合、上述のように走査ライン１２を１ラインずつ選択して、１ラインずつ補助容量１１に電圧を印加するため（つまり、走査ライン１２を選択して第１電極４にオン電圧Ｖｂを印加している間に補助容量１１への電荷注入が終了しておく必要があるため）、（補助容量への電荷注入時間）×（走査ライン数）で表される時間量が１フィールド書き換えるためには必要とされることとなる。そのため、あるフィールドでオフ電圧Ｖａからオン電圧Ｖｂと切り換わる画素があった場合、それが走査ラインの異なる画素においては、その第１電極４の電圧の切り替わるタイミングが異なることになる。そこで、走査ライン１２を順次選択するタイミングと同様のタイミングで、走査ライン１２毎に第３電極６の電圧を非コレクト電圧Ｖｃからコレクト電圧Ｖｄに切り換えることによって、例えば、第１走査ラインで階調レベル２の表示を行う画素と、第５走査ラインで階調レベル２の表示を行う画素において、書き込み動作中に第１電極４の電圧がオフ電圧Ｖａからオン電圧Ｖｂに切り換わってから、表示保持動作において第３電極６の電圧が非コレクト電圧Ｖｃからコレクト電圧Ｖｄに切り換わるまでの時間を同一にすることができ、階調精度の良い駆動を行うことができる。
【００５９】
しかし、帯電泳動粒子３の移動時間と比較して、その１フィールド書き換え期間が非常に小さい場合には、複数の走査ライン単位で第３電極６の電圧を切り換えても良い（つまり、前記第３電極６のコレクト電圧Ｖｄへの切り換えタイミングが複数の走査ライン毎に異なるようにすると良い）。そのためには、第３電極６が複数の走査ライン毎で共通に接続されるようにすると良い。また、全画素同時に第１電極４の電圧が切り換わったとみなして全画素の第３電極６の電圧を同時に切り換えても良い（つまり、前記第３電極６のコレクト電圧Ｖｄへの切り換えタイミングを全画素において同じにすると良い）。そのためには、全画素の第３電極６を共通に接続しておくと良い。
【００６０】
複数の走査ライン単位で第３電極６の電圧を非コレクト電圧Ｖｃからコレクト電圧Ｖｄに切り換える場合は次のようになる。例えば、８００走査ラインの表示パネル（電気泳動表示装置）において、第１走査ラインから第４００走査ラインまでの第３電極６の電圧と、第４０１走査ラインから第８００走査ラインまでの第３電極６の電圧をそれぞれ同時に切り換えるように電圧の制御を行うとする。第１走査ラインから第４００走査ラインまでの第３電極６の電圧〈１〉と、第４０１走査ラインから第８００走査ラインまでの第３電極６の電圧〈２〉を切り換えるタイミングを図１１に示す。図１１に示すように、書き込み動作終了後、２００走査ラインを選択するのに必要とする時間（Ｅ）が経った後に第３電極６の電圧〈１〉を切り換え、６００走査ラインを選択するのに必要とする時間（Ｆ）が経った後に第３電極６の電圧〈２〉を切り換えている。
【００６１】
こうすることにより僅かながらも存在するタイミングの相違の影響を小さくできて効果的である。さらに、同じ電圧切り換えタイミングとなる第３電極６を互いに接続して第３電極への信号ラインを２ラインに減らすことができ、駆動システム構成を簡易化できる。
【００６２】
また、例えば、１２００走査ラインの表示パネルにおいて、第１走査ラインから第４００走査ラインまでの第３電極６の電圧と、第４０１走査ラインから第８００走査ラインまでの第３電極６の電圧と、第８０１走査ラインから第１２００走査ラインまでの第３電極６の電圧をそれぞれ同時に切り換えるように電圧の制御を行うとする。第１走査ラインから第４００走査ラインまでの第３電極６の電圧〈１〉、第４０１走査ラインから第８００走査ラインまでの第３電極６の電圧〈２〉、第８０１走査ラインから第１２００走査ラインまでの第３電極６の電圧〈３〉を切り換えるタイミングを図１２に示す。図１２に示すように、書き込み動作終了後、２００走査ラインを選択するのに必要とする時間（Ｇ）が経った後に第３電極６の電圧〈１〉を切り換え、６００走査ラインを選択するのに必要とする時間（Ｈ）が経った後に第３電極６の電圧〈２〉を切り換え、１０００走査ラインを選択するのに必要とする時間（Ｉ）が経った後に第３電極６の電圧〈３〉を切り換えている。
【００６３】
こうすることにより、図１１と同様に僅かながらも存在するタイミングの相違の影響を小さくできて効果的である。さらに、同じ電圧切り換えタイミングとなる第３電極６を互いに接続して第３電極への信号ラインを３ラインに減らすことができ、駆動システム構成を簡易化できる。
【００６４】
全画素の第３電極６の電圧を同時に非コレクト電圧Ｖｃからコレクト電圧Ｖｄに切り換える場合について、例えば、４００走査ラインの表示パネルにおいて、その第３電極６の電圧を切り換えるタイミングを図１３に示す。図１３に示すように、書き込み動作終了後、１フィールド書き換えに必要とする時間（Ｄ）の半分、すなわち２００走査ラインを選択するのに必要とする時間（Ｊ）が経った後に第３電極６の電圧を切り換えている。
【００６５】
こうすることにより、図１１、図１２と同様に僅かながらも存在するタイミングの相違の影響を小さくできて効果的である。さらに、同じ電圧切り換えタイミングとなる第３電極６を互いに接続して第３電極への信号ラインを１ラインに減らすことができ、駆動システム構成を簡易化できる。
【００６６】
以上の表示保持動作において、第１電極４、あるいは第３電極６に集められた帯電泳動粒子３が、第１電極４から第３電極６へ、あるいは第３電極６から第１電極４へ移動するような電界を形成しないために、オン電圧Ｖｂ＝コレクト電圧Ｖｄとなる電圧を使用するほうが好ましいと考えられる。そして、電気泳動現象にはメモリ性があるため画素内を無電界状態として静止画を表示する。表示保持動作では全画素のスイッチング素子１０をオフにしており、全データライン１３の電圧をＶｃｏｍとすると、補助容量１１の電荷が抜けて第１電極４の電圧が電圧Ｖｃｏｍまで徐々に降下する（つまり、書き込み動作終了後、表示保持動作として前記スイッチング素子をオフ状態とし、前記第３電極の電圧を徐々に減少させる）。この第１電極４の電圧の降下に合わせて、第３電極６のコレクト電圧をＶｄから徐々に電圧Ｖｃｏｍとしていくことで画素内を無電界状態にできる。このように徐々に電圧を変化させる理由は、第１電極４の電圧を電圧Ｖｃｏｍヘ急激に変化させると、急激な内部電界の変化、及び反電場の発生により、帯電泳動粒子３が移動してしまうことがあり、表示が乱れる可能性があるためである。
【００６７】
図５に示す表示の動作について、画素ａ〜ｅに注目してみる。
【００６８】
画素ａについては、フィールド１で第１電極４にオン電圧Ｖｂが印加されるため、書き込み開始から帯電泳動粒子３は第２電極５から第１電極４の方へ移動する。そのためフィールド４の書き換えが終わり表示保持動作に移る時点では、第１電極４上に帯電泳動粒子３全てが集まっており、第３電極６の電圧が非コレクト電圧Ｖｃからコレクト電圧Ｖｄに切り換わることによる影響を受けず黒表示が行われる。この動作は、図９に示される動作と同様となっている。
【００６９】
画素ｂについては、フィールド１での電圧では帯電泳動粒子３は移動を始めないが、フィールド２で第１電極４にオン電圧Ｖｂが印加されるため、帯電泳動粒子３は第１電極４へ移動を始める。第２電極５側に積み重なった帯電泳動粒子３は、順次第１電極４側に移動するが、フィールド４の書き換えが終わり表示保持動作に移る時点で第３電極６の電圧が非コレクト電圧Ｖｃからコレクト電圧Ｖｄに切り換わるので、第３電極６側にも移動するように電界を発生し、帯電泳動粒子３は、第１電極４側に移動する一方で、後から移動する帯電泳動粒子３の一部が第３電極６側に移動することになる。この動作は、図２に示される動作と同様となり、帯電泳動粒子３は第１電極４側及び第３電極６側に集められることになる。
【００７０】
画素ｃについては、フィールド１、及びフィールド２での電圧では帯電泳動粒子３は移動を始めないが、フィールド３で第１電極４にオン電圧Ｖｂが印加されるため、帯電泳動粒子３は第１電極４へ移動を始める。第２電極５側に積み重なった帯電泳動粒子３は、順次第１電極４側に移動するが、フィールド４の書き換えが終わり表示保持動作に移る時点で第３電極６の電圧が非コレクト電圧Ｖｃからコレクト電圧Ｖｄに切り換わるので、第３電極６側にも移動するように電界を発生し、帯電泳動粒子３は、第１電極４側に移動する一方で、後から移動する帯電泳動粒子３の一部が第３電極６側に移動することになる。この動作は、図２に示される動作と同様となり、帯電泳動粒子３は第１電極４側及び第３電極６側に集められることになるが、画素ｂよりも第１電極４への移動開始が遅い。
【００７１】
画素ｄについては、フィールド１、フィールド２、及びフィールド３での電圧では帯電泳動粒子３は移動を始めないが、フィールド４で第１電極４にオン電圧Ｖｂが印加されるため、帯電泳動粒子３は第１電極４へ移動を始める。第２電極５側に積み重なった帯電泳動粒子３は、順次第１電極４側に移動するが、フィールド４の書き換えが終わり表示保持動作に移る時点で第３電極６の電圧が非コレクト電圧Ｖｃからコレクト電圧Ｖｄに切り換わるので、第３電極６側にも移動するように電界を発生し、帯電泳動粒子３は、第１電極４側に移動する一方で、後から移動する帯電泳動粒子３の一部が第３電極６側に移動することになる。この動作は、図２に示される動作と同様となり、帯電泳動粒子３は第１電極４側及び第３電極６側に集められることになるが、画素ｃよりも第１電極４への移動開始が遅い。
【００７２】
画素ｅについては、フィールド１、フィールド２、フィールド３、及びフィールド４のいずれの電圧でも帯電泳動粒子３は移動を始めず、第１電極４には書き込み動作終了までオフ電圧Ｖａが印加される。フィールド４の書き換えが終わり表示保持動作に移る時点で第３電極６の電圧が非コレクト電圧Ｖｃからコレクト電圧Ｖｄに切り換わるので、帯電泳動粒子３が第３電極６側に移動するように電界を発生し、帯電泳動粒子３は、第３電極６側に移動することになる。帯電泳動粒子３は第１電極４側に移動することなく、全ての帯電泳動粒子３が第３電極６側に移動することになり白表示が行われる。
【００７３】
ここで、明度について説明する。
【００７４】
画素ａについては黒表示であり、最も明度が低い。画素ｅについては白表示であり、最も明度が高い。画素ｂ〜ｄにおいては、いずれも第１電極４側及び第３電極６側に帯電泳動粒子３が集められているものの、第１電極４上に集められた帯電泳動粒子３の量が異なるため、それぞれ異なる明度となる。画素ｂと画素ｃと比較すると、画素ｂは帯電泳動粒子３の第１電極４側への移動が画素ｃより先に行われるため、第１電極４上に集められる帯電泳動粒子３の量が多い。その結果、画素ｃより画素ｂは明度が低くなる。画素ｃと画素ｄと比較すると、画素ｃは帯電泳動粒子３の第１電極４側への移動が画素ｄより先に行われるため、第１電極４上に集められる帯電泳動粒子３の量が多い。その結果、画素ｄより画素ｃは明度が低くなる。よって、明度としては、画素ａ＜画素ｂ＜画素ｃ＜画素ｄ＜画素ｅという関係になり、中間調を表現できるのである。
【００７５】
また、異なる表示に書き換える場合には、再度リセット動作、書き込み動作、表示保持動作を順次行って静止画を表示する。
【００７６】
次に、本実施の形態の効果について説明する。
【００７７】
本実施の形態によれば、第１電極４における電圧の切り換えタイミングを制御することにより、階調レベルに応じた量の帯電泳動粒子３を第１電極４へ移動させ、その後、残りを第３電極６に移動させる。その結果、表示に関与する第１電極上に分布する帯電泳動粒子３の量を制御することができ、かつ、第３電極に移動した帯電泳動粒子３は表示には関与しないため、中間調表示を安定的に行うことができる。また、表示に関与する帯電泳動粒子と表示に関与しない帯電泳動粒子を完全に別々の電極（互いに離間している第１電極４と第３電極６）へ分離するので、その後も電圧を印加し続けても、第１電極上に分布する帯電泳動粒子の量を変化させず中間調のある静止画を表示し続けることができる。また、画素内を無電界状態にする場合においても、表示に関与しない帯電泳動粒子は、第１電極上とは別の第３電極上に分離されているため、各画素の補助容量に残った電荷により形成される残留電界の影響を受けて移動することはなく、安定な中間調のある静止画表示を行うことができる。さらに残留電界が減少するのに合わせて第３電極の電圧を小さくすることによって、帯電泳動粒子が移動することなく画素内の内部を無電界状態にすることができる。その結果、電力消費を抑制した静止画表示を実現できる。さらに、帯電泳動粒子は画素内の部材近傍を移動するといった動きであり、かつ表示保持状態では画素内の部材及び帯電泳動粒子同士で接触しているため、経時的に安定な静止画表示を行うことにもなる。
【００７８】
【実施例】
以下、実施例に沿って本発明を更に詳細に説明する。
【００７９】
（実施例１）
本実施例では、図３及び図４に示すアクティブマトリックス型電気泳動表示装置を作製した。
【００８０】
すなわち、表示基板（表示側基板）１ａ及び後方基板（後方側基板）１ｂの間隙には、画素を囲むように隔壁（間隙部材）７を配置した。なお、隔壁７の幅を１０μｍとし、高さを２０μｍとした。そして、第１電極４は、後方基板１ｂの側であって隔壁７に囲まれた部分の中央部に配置し、一辺の長さを８０μｍとした。また、第２電極５は後方基板１ｂと隔壁７の間に配置し、各画素の第２電極５は互いに電気的に接続して同電圧を印加できるようにした。さらに、第３電極６は表示基板１ａと隔壁７の間に配置した。なお、後方基板１ｂには１２００本の走査ライン１２を配置し、該走査ライン１２には上述した第３電極６を接続した。以下の説明では、接続されている走査ラインを「第３電極６〈１〉」〜「第３電極６〈１２００〉」で区別した。なお、図中の符号１０はスイッチング素子を示し、符号１１は補助容量を示し、符号１３はデータラインを示し、符号１４は走査ドライバを示し、符号１５はデータドライバを示す。基板には１．１ｍｍ厚のガラス板を用い、スイッチング素子１０にはＴＦＴを用いた。
【００８１】
また、本実施例に係る電気泳動表示装置は、１つの画素の大きさを１００μｍ×１００μｍとし、画素の数は、１２００×１２００画素とした。
【００８２】
本実施例に係る電気泳動表示装置は以下のように製造した。
【００８３】
まず、後方基板の表面にスイッチング素子１０や補助容量１１や走査ライン１２やデータライン１３を形成し、さらに第１電極４を形成した。なお、第１電極４とスイッチング素子１０とは接続した。また、第１電極４には、光反射率の大きいアルミニウムを用いた。さらに、第１電極４は、酸化チタン微粒子を含有するアクリル樹脂層８によって被覆した。第１電極４は光反射層を兼ね、アクリル樹脂層８は光散乱効果を発揮する。
【００８４】
各画素の境界部分Ｆに第２電極５を形成し、その上に隔壁７、さらにその隔壁７上に第３電極６を形成した。
【００８５】
次に、各画素には絶縁性液体２及び帯電泳動粒子３を充填した。絶縁性液体２にはイソパラフィン（商品名：アイソパー，エクソン社製）を用い、帯電泳動粒子３には粒径１〜２μｍ程度のカーボンブラックを含有したポリスチレン−ポリメチルメタクリレート共重合体樹脂を用いた。イソパラフィンには、荷電制御剤としてコハク酸イミド（商品名：ＯＬＯＡ１２００、シェブロン社製）を含有させた。帯電泳動粒子３はマイナスの極性を示した。
【００８６】
次に、表示基板１ａを隔壁７上に接着して絶縁性液体２や帯電泳動粒子３を各画素に封止した。
【００８７】
さらに、図１４に示すように、表示部２２の周辺にＩＣ化した走査ドライバ１４、データドライバ１５、及び第３電極ドライバ２０Ｂを実装し、走査ライン１２を走査ドライバ１４に接続し、データライン１３をデータドライバ１５に接続し、第３電極６を第３電極ドライバ２０に接続した。
【００８８】
以下、駆動方法について説明する。
【００８９】
まず、Ｉ／Ｆ１９から入力された画像データをＭＰＵ１６が表示用データとして変換してＲＡＭ１８へ書き込む。次に、ＭＰＵ１６はＲＡＭ１８から表示用データを読み込んでグラフィックコントローラ１７へ転送する。そこで、グラフィックコントローラ１７は、インターフェース信号を生成し、表示部２２周辺の走査ドライバ１４、データドライバ１５、及び第３電極ドライバ２０に転送する。インターフェース信号として、フィールド同期信号（ＦＬＭ）、水平同期信号（ＣＬ１）、８ｂｉｔデータ（Ｄ０〜Ｄ７）、データ取り込みクロック（ＣＬ２）、リセット信号〈１〉（ＲＳＴ１）、リセット信号〈２〉（ＲＳＴ２）、リセット信号〈３〉（ＲＳＴ３）、０Ｖ出力信号〈１〉（ＺＥＲＯ１）、０Ｖ出力信号〈２〉（ＺＥＲＯ２）、保持信号（ＭＥ）、電圧切り換え信号（ＶＳＷ）が転送され、それによって、走査ライン１２、データライン１３、第３電極６〈１〉〜第３電極６〈１２００〉に駆動電圧を加えて表示が行われる。
【００９０】
次に、表示部２２の周辺に配置する走査ドライバ１４、及びデータドライバ１５について説明する。図１５は走査ドライバ１４の内部ブロック図、図１６はデータドライバ１５の内部ブロック図、図１７は動作タイムチャートである。
【００９１】
走査ドライバ１４は１２００出力であり、その内部には１２００段のシフトレジスタ１４１を内蔵しており、水平同期信号（ＣＬ１）の立ち下がりエッジでフィールド同期信号（ＦＬＭ）データを取り込み、その後、順次シフトする。シフトレジスタ１４１の出力信号はレベルシフタ１４２で駆動電圧のレベルに変換され、駆動電圧出力回路１４３で、選択電圧、非選択電圧をアナログスイッチで選択して走査信号として出力する。このとき、リセット信号〈１〉（ＲＳＴ１）、０Ｖ出力信号〈１〉（ＺＥＲＯ１）、保持信号（ＭＥ）はいずれもロウレベルで入力することとする。また、リセット信号〈１〉（ＲＳＴ１）がハイレベル、０Ｖ出力信号〈１〉（ＺＥＲＯ１）、保持信号（ＭＥ）がロウレベルで入力されると、全出力選択電圧を出力し、０Ｖ出力信号〈１〉（ＺＥＲＯ１）がハイレベル、リセット信号〈１〉（ＲＳＴ１）、保持信号（ＭＥ）がロウレベルで入力されると、全出力０Ｖを出力し、保持信号（ＭＥ）がハイレベル、リセット信号〈１〉（ＲＳＴ１）、０Ｖ出力信号〈１〉（ＺＥＲＯ１）がロウレベルで入力されると、全出力非選択電圧を出力する。
【００９２】
データドライバ１５は１２００出力であり、表示用データに対応してオン電圧／オフ電圧をデータラインに出力する。まず、データ取り込みクロック（ＣＬ２）の立ち下りエッジに同期したでコントロール回路１５１の出力の立ち下がりエッジで８ｂｉｔデータ（Ｄ０〜Ｄ７）を８ｂｉｔラッチ回路１５２に順次ラッチする。１ラインのデータが８ｂｉｔラッチ回路１５２にラッチされると、水平同期信号（ＣＬ１）の立ち上がりエッジで全データを同時にラインデータラッチ回路１５３にラッチする。ラインデータラッチ回路のデータに対応して、レベルシフタ１５４で駆動電圧のレベルに変換され、駆動電圧出力回路１５５でオン電圧／オフ電圧をアナログスイッチで選択してデータ信号として出力する。このとき、リセット信号〈２〉（ＲＳＴ２）、０Ｖ出力信号〈２〉（ＺＥＲＯ２）はいずれもロウレベルで入力することとする。また、リセット信号〈２〉（ＲＳＴ２）がハイレベル、０Ｖ出力信号〈２〉（ＺＥＲＯ２）がロウレベルで入力されると、全出力オフ電圧を出力し、０Ｖ出力信号〈２〉（ＺＥＲＯ２）がハイレベル、リセット信号〈２〉（ＲＳＴ２）がロウレベルで入力されると、全出力０Ｖを出力する。
【００９３】
次に第３電極ドライバ２０について説明する。図１８は第３電極ドライバ２０の内部ブロック図、図１９は動作タイムチャートである。第３電極ドライバ２０は１２００出力であり、電圧切り換え信号（ＶＳＷ）の立ち上がりエッジ毎に、コントロール回路２０１の出力が第１出力から第１２００出力まで順次に切り換わっていく。コントロール回路２０１の出力は、レベルシフタ２０２で駆動電圧のレベルに変換され、駆動電圧出力回路２０３で、コレクト電圧、非コレクト電圧をアナログスイッチで選択して第３電極６〈１〉〜第３電極６〈１２００〉へ出力される。コレクト電圧は、８ｂｉｔＤ／Ａコンバータ２０４から供給され、グラフィックコントローラ１７からの８ｂｉｔの電圧制御信号（ＣＮＶ）により変化させることができる。そして、第３電極ドライバ２０からコレクト電圧を出力している場合、Ｄ／Ａコンバータ２０４からの出力の変化に連動して第３電極ドライバ２０の出力を変化させることが可能な構成となっている。図１９に示されるように、電圧切り換え信号（ＶＳＷ）の立ち上がりエッジに同期して、第３電極６〈１〉への出力から第３電極６〈１２００〉への出力まで順次に非コレクト電圧からコレクト電圧へ切り換える。そして、Ｄ／Ａコンバータ２０４の出力を変えて、コレクト電圧を徐々に小さくしている。このとき、リセット信号〈３〉（ＲＳＴ３）はロウレベルで入力することとする。また、リセット信号〈３〉（ＲＳＴ３）がハイレベルで入力されると、コントロール回路２０１の出力がリセットされて全出力非コレクト電圧を出力する。
【００９４】
電源回路２２は、走査ドライバ１４、データドライバ１５、及び第３電極ドライバ２０に、パネルを駆動するための駆動電圧を供給し、またシフトレジスタ、ラッチ回路などの各ドライバ内のロジック回路を駆動するための電源を供給する。さらにパネル内の第２電極５に電圧を印加する。本実施例では、走査ドライバ１４には、選択電圧として３０Ｖ、非選択電圧として−１０Ｖ、及び０Ｖ出力するための０Ｖを供給し、データドライバ１５には、オン電圧として１０Ｖ、オフ電圧として−１０Ｖ、及び０Ｖ出力するための０Ｖを供給する。また、第３電極ドライバ２０には、コレクト電圧を生成するＤ／Ａコンバータ２０４の基準電源として１０Ｖおよび０Ｖを供給し、非コレクト電圧として−１０Ｖを供給する。シフトレジスタ、ラッチ回路などの駆動のための電源としては３．３Ｖを供給する。さらに第２電極５には０Ｖを供給している。
【００９５】
本発明の駆動方法によって本実施例に係る電気泳動表示装置を駆動する。図２０を用いて説明する。本実施例では、７フィールド１書き込みの階調数８の表示を行うこととする。第２電極５は０Ｖである。最初にリセット動作として、走査ドライバ１４の全出力を選択電圧、かつデータドライバ１５の全出力をオフ電圧として全画素の第１電極４にオフ電圧−１０Ｖを印加し、第３電極６〈１〉〜第３電極６〈１２００〉に非コレクト電圧−１０Ｖを印加して、帯電泳動粒子３を第２電極５に集めて白表示とする。このとき、走査ドライバ１４にリセット信号〈１〉（ＲＳＴ１）をハイレベル、０Ｖ出力信号〈１〉（ＺＥＲＯ１）、保持信号（ＭＥ）をロウレベルで入力し、データドライバ１５にリセット信号〈２〉（ＲＳＴ２）をハイレベル、０Ｖ出力信号〈２〉（ＺＥＲＯ２）をロウレベルで入力し、第３電極ドライバ２０にリセット信号〈３〉（ＲＳＴ３）をハイレベルで入力している。また、第３電極ドライバ２０のＤ／Ａコンバータ２０４の出力が１０Ｖとなるように電圧制御信号（ＣＮＶ）を入力する。
【００９６】
次に書き込み動作を行う。画素毎に階調レベル１〜階調レベル８を実現するために、それぞれの画素の第１電極４において、図２０に示されるようにフィールド毎に電圧を印加していく。走査ドライバ１４及びデータドライバ１５の動作は図１７に示した通りである。このとき、走査ドライバ１４にリセット信号〈１〉（ＲＳＴ１）、０Ｖ出力信号〈１〉（ＺＥＲＯ１）、保持信号（ＭＥ）をいずれもロウレベルで入力し、データドライバ１５にリセット信号〈２〉（ＲＳＴ２）、０Ｖ出力信号〈２〉（ＺＥＲＯ２）をいずれもロウレベルで入力する。また、第３電極ドライバ２０に、リセット信号〈３〉（ＲＳＴ３）をロウレベルで入力する。どのフィールドで第１電極４の電圧をオフ電圧−１０Ｖからオン電圧１０Ｖに切り換えるかが階調レベルを決定することになり、その時点で第１電極４の方に帯電泳動粒子３が移動していく。１フィールド書き換え期間（Ａ）では、走査ドライバ１４の出力により、第１走査ラインから第１２００走査ラインまで順次に選択して第１電極４および補助容量１１に電圧を印加しており、補助容量１１に電荷を充電している。
【００９７】
表示保持動作では、第３電極６〈１〉〜第３電極６〈１２００〉の電圧を非コレクト電圧−１０Ｖからコレクト電圧１０Ｖに切り換える。この時点で、帯電泳動粒子３の一部が第３電極６〈１〉〜第３電極６〈１２００〉に集められ、第１電極４上に集まる帯電泳動粒子３の量が決定して表示がなされる。この表示保持動作は、図１０に示した方法により、書き込み動作終了後、１走査ライン選択期間と同一の長さの間隔Ｃで走査ライン１２毎に第３電極６の電圧を第１走査ラインから順に切り換えている。
【００９８】
その後は、保持信号（ＭＥ）をハイレベル、リセット信号〈１〉（ＲＳＴ１）、０Ｖ出力信号〈１〉（ＺＥＲＯ１）をロウレベルで走査ドライバ１４に入力し、また０Ｖ出力信号〈２〉（ＺＥＲＯ２）をハイレベル、リセット信号〈２〉（ＲＳＴ２）をロウレベルでデータドライバ１５に入力することにより、走査ドライバ１４の全出力を非選択電圧−１０Ｖ、データドライバ１５の全出力を０Ｖとする。このとき、第１電極４における電圧は補助容量１１の電荷がＴＦＴのオフ抵抗を通じて放電されるにつれてオン電圧１０Ｖから０Ｖへ徐々に下がってくる。それと連動して電圧制御信号（ＣＮＶ）により第３電極ドライバ２０内のＤ／Ａコンバータ２０４の出力を１０Ｖから０Ｖへ徐々に降下していくことにより、第３電極ドライバ２０が出力するコレクト電圧を１０Ｖから徐々に小さくして０Ｖへ降下していく。こうして最終的に画素内の電極の電圧を全て０Ｖとして無電界状態を形成し、表示保持状態とする。ここで、走査ドライバ１４の全出力を非選択電圧としたのは、画素内を無電界状態とする過程において、走査ライン１２を順次選択して全ての第１電極４に０Ｖを印加する場合、あるいは走査ライン１２を全選択した状態で全第１電極４に０Ｖを印加した場合には、第１電極４の電圧が１０Ｖから０Ｖへ急激に変化することになり、急激な内部電界の変化、及び反電場の発生により、帯電泳動粒子３が移動してしまうため、スイッチング素子１０を全てオフにして徐々に第１電極４の電圧を０Ｖにするためである。そして、無電界状態にした後は、走査ドライバ１４に０Ｖ出力信号〈１〉（ＺＥＲＯ１）をハイレベル、リセット信号〈１〉（ＲＳＴ１）、保持信号（ＭＥ）をロウレベルで入力することにより、走査ドライバ１４の全出力を０Ｖとする。
【００９９】
このような駆動方法、及びその駆動回路により、階調数８の表示を実現できる。そして、安定な中間調のある静止画表示を実現できる。
【０１００】
（実施例２）
本実施例では図２１に示す駆動システムを使用し、第３電極ドライバ２０Ａの内部構造は図２２に示すようにした。また、図２３に示す動作タイムチャートを用いて画像表示を行った。
【０１０１】
なお、第３電極６は、第１走査ラインから第４００走査ラインまでの第３電極６を１つの電極として接続して第３電極６〈１〉，第４０１走査ラインから第８００走査ラインまでの第３電極６を１つの電極として接続して第３電極６〈２〉、第８０１走査ラインから第１２００走査ラインまでの第３電極６を１つの電極として接続して第３電極６〈３〉とする。
【０１０２】
インターフェース信号として、フィールド同期信号（ＦＬＭ）、水平同期信号（ＣＬ１）、８ｂｉｔデータ（Ｄ０〜Ｄ７）、データ取り込みクロック（ＣＬ２）、リセット信号〈１〉（ＲＳＴ１）、リセット信号〈２〉（ＲＳＴ２）、０Ｖ出力信号〈１〉（ＺＥＲＯ１）、０Ｖ出力信号〈２〉（ＺＥＲＯ２）、保持信号（ＭＥ）、電圧切り換え信号〈１〉（ＶＳＷ１）、電圧切り換え信号〈２〉（ＶＳＷ２）、電圧切り換え信号〈３〉（ＶＳＷ３）が転送され、それによって、走査ライン１２、データライン１３、第３電極６〈１〉、第３電極６〈２〉、及び第３電極６〈３〉に駆動電圧を加えて表示が行われる。
【０１０３】
また、図２２に示すように、電圧切り換え信号〈１〉（ＶＳＷ１）がレベルシフタ２０１Ａで駆動電圧のレベルに変換され、駆動電圧出力回路２０２Ａで、コレクト電圧、非コレクト電圧をアナログスイッチで選択して第３電極６〈１〉へ出力する。同様に、電圧切り換え信号〈２〉（ＶＳＷ２）がレベルシフタ２０１Ａで駆動電圧のレベルに変換され、駆動電圧出力回路２０２Ａで、コレクト電圧、非コレクト電圧をアナログスイッチで選択して第３電極６〈２〉へ出力され、また、電圧切り換え信号〈３〉（ＶＳＷ３）がレベルシフタ２０１Ａで駆動電圧のレベルに変換され、駆動電圧出力回路２０２Ａで、コレクト電圧、非コレクト電圧をアナログスイッチで選択して第３電極６〈３〉へ出力される。コレクト電圧は、８ｂｉｔＤ／Ａコンバータ２０３Ａから供給され、グラフィックコントローラ１７からの８ｂｉｔの電圧制御信号（ＣＮＶ）により変化させることができる。そして、第３電極ドライバ２０Ａからコレクト電圧を出力している場合、Ｄ／Ａコンバータ２０２Ａからの出力の変化に連動して第３電極ドライバ２０Ａの出力を変化させることが可能な構成となっている。図２３に示されるように、電圧切り換え信号〈１〉（ＶＳＷ１）がロウレベルからハイレベルとなるのに同期して、第３電極６〈１〉への出力を非コレクト電圧からコレクト電圧へ切り換える。同様に電圧切り換え信号〈２〉（ＶＳＷ２）がロウレベルからハイレベルとなるのに同期して、第３電極６〈２〉への出力を非コレクト電圧からコレクト電圧へ切り換え、電圧切り換え信号〈３〉（ＶＳＷ３）がロウレベルからハイレベルとなるのに同期して、第３電極６〈３〉への出力を非コレクト電圧からコレクト電圧へ切り換える。そして、Ｄ／Ａコンバータ２０３Ａの出力を変えて、コレクト電圧を徐々に小さくしている。
【０１０４】
電源回路２１は、走査ドライバ１４、データドライバ１５、及び第３電極ドライバ２０Ａに、パネルを駆動するための駆動電圧を供給し、またシフトレジスタ、ラッチ回路などの各ドライバ内のロジック回路を駆動するための電源を供給する。さらにパネル内の第２電極５に電圧を印加する。本実施例では、走査ドライバ１４には、選択電圧として３０Ｖ、非選択電圧として−１０Ｖ、及び０Ｖ出力するための０Ｖを供給し、データドライバ１５には、オン電圧として１０Ｖ、オフ電圧として−１０Ｖ、及び０Ｖ出力するための０Ｖを供給する。また、第３電極ドライバ２０Ａには、コレクト電圧を生成するＤ／Ａコンバータ２０３Ａの基準電源として１０Ｖおよび０Ｖを供給し、非コレクト電圧として−１０Ｖを供給する。シフトレジスタ、ラッチ回路などの駆動のための電源としては３．３Ｖを供給する。さらに第２電極５には０Ｖを供給している。
【０１０５】
ところで、リセット動作を行う際には、走査ドライバ１４にリセット信号〈１〉（ＲＳＴ１）をハイレベル、０Ｖ出力信号〈１〉（ＺＥＲＯ１）、保持信号（ＭＥ）をロウレベルで入力し、データドライバ１５にリセット信号〈２〉（ＲＳＴ２）をハイレベル、０Ｖ出力信号〈２〉（ＺＥＲＯ２）をロウレベルで入力し、第３電極ドライバ２０Ａに電圧切り換え信号〈１〉（ＶＳＷ１）、電圧切り換え信号〈２〉（ＶＳＷ２）、及び電圧切り換え信号〈３〉（ＶＳＷ３）をロウレベルで入力している。また、第３電極ドライバ２０ＡのＤ／Ａコンバータ２０３Ａの出力が１０Ｖとなるように電圧制御信号（ＣＮＶ）を入力する。
【０１０６】
表示保持動作を行う際には、帯電泳動粒子３の一部が第３電極６〈１〉、第３電極６〈２〉、及び第３電極６〈３〉に集められ、第１電極４上に集まる帯電泳動粒子３の量が決定して表示がなされる。この表示保持動作は、図１２に示した方法により、書き込み動作終了後、２００走査ラインを選択するのに必要とする時間（Ｇ）が経った後に第３電極６の電圧〈１〉を切り換え、６００走査ラインを選択するのに必要とする時間（Ｈ）が経った後に第３電極６の電圧〈２〉を切り換え、１０００走査ラインを選択するのに必要とする時間（Ｉ）が経った後に第３電極６の電圧〈３〉を切り換えている。
【０１０７】
その他の駆動方法は実施例１と同じにした。
【０１０８】
（実施例３）
本実施例では図２４に示す駆動システムを使用し、第３電極ドライバ２０Ｂの内部構造は図２５に示すようにした。また、図２６に示す動作タイムチャートを用いて画像表示を行った。
【０１０９】
本実施例においては、第２電極５、及び第３電極６は、全画素においてそれぞれ共通に接続されている。電気泳動表示装置についてのその他の構成は実施例１と同じにした。
【０１１０】
本実施例に係る電気泳動表示装置は実施例１と同様の方法により製造した。
【０１１１】
また、図２４に示す駆動システムにおいては、インターフェース信号として、フィールド同期信号（ＦＬＭ）、水平同期信号（ＣＬ１）、８ｂｉｔデータ（Ｄ０〜Ｄ７）、データ取り込みクロック（ＣＬ２）、リセット信号〈１〉（ＲＳＴ１）、リセット信号〈２〉（ＲＳＴ２）、０Ｖ出力信号〈１〉（ＺＥＲＯ１）、０Ｖ出力信号〈２〉（ＺＥＲＯ２）、保持信号（ＭＥ）、電圧切り換え信号（ＶＳＷ）が転送され、それによって、走査ライン１２、およびデータライン１３、第３電極６に駆動電圧を加えて表示が行われる。
【０１１２】
一方、走査ドライバ１４Ａ及びデータドライバ１５Ａは出力数が異なる点以外は実施例１等と同様である。すなわち、本実施例に使用した走査ドライバ１４Ａは４００出力であり、その内部には４００段のシフトレジスタ１４１を内蔵しており、水平同期信号（ＣＬ１）の立ち下がりエッジでフィールド同期信号（ＦＬＭ）データを取り込み、その後、順次シフトするようになっている。また、データドライバ１５Ａは６００出力であり、表示用データに対応してオン電圧／オフ電圧をデータラインに出力するようになっている。
【０１１３】
ところで、リセット動作に際しては、走査ドライバ１４Ａの全出力を選択電圧、かつデータドライバ１５Ａの全出力をオフ電圧として全画素の第１電極４にオフ電圧−１０Ｖを印加し、第３電極６に非コレクト電圧−１０Ｖを印加して、帯電泳動粒子３を第２電極５に集めて白表示とする。このとき、走査ドライバ１４Ａにリセット信号〈１〉（ＲＳＴ１）をハイレベル、０Ｖ出力信号〈１〉（ＺＥＲＯ１）、保持信号（ＭＥ）をロウレベルで入力し、データドライバ１５Ａにリセット信号〈２〉（ＲＳＴ２）をハイレベル、０Ｖ出力信号〈２〉（ＺＥＲＯ２）をロウレベルで入力し、第３電極ドライバ２０Ｂに電圧切り換え信号（ＶＳＷ）をロウレベルで入力している。また、第３電極ドライバ２０ＢのＤ／Ａコンバータ２０３Ｂの出力が１０Ｖとなるように電圧制御信号（ＣＮＶ）を入力する。
【０１１４】
また、１フィールド書き換え期間（Ａ）では、走査ドライバ１４Ａの出力により、第１走査ラインから第４００走査ラインまで順次に選択して第１電極４および補助容量１１に電圧を印加しており、補助容量１１に電荷を充電している。
【０１１５】
表示保持動作は、図１３に示した方法により、書き込み動作終了後、１フィールド書き換えに必要とする時間（Ｄ）の半分、すなわち２００走査ラインを選択するのに必要とする時間（Ｊ）が経った後に第３電極６の電圧を切り換えている。
【０１１６】
その後は、保持信号（ＭＥ）をハイレベル、リセット信号〈１〉（ＲＳＴ１）、０Ｖ出力信号〈１〉（ＺＥＲＯ１）をロウレベルで走査ドライバ１４Ａに入力し、また０Ｖ出力信号〈２〉（ＺＥＲＯ２）をハイレベル、リセット信号〈２〉（ＲＳＴ２）をロウレベルでデータドライバ１５Ａに入力することにより、走査ドライバ１４Ａの全出力を非選択電圧−１０Ｖ、データドライバ１５Ａの全出力を０Ｖとする。このとき、第１電極４における電圧は補助容量１１の電荷がＴＦＴのオフ抵抗を通じて放電されるにつれてオン電圧１０Ｖから０Ｖへ徐々に下がってくる。それと連動して電圧制御信号（ＣＮＶ）により第３電極ドライバ２０Ｂ内のＤ／Ａコンバータの出力２０３Ｂを１０Ｖから０Ｖへ徐々に降下していくことにより、第３電極ドライバ２０Ｂが出力するコレクト電圧を１０Ｖから徐々に小さくして０Ｖへ降下していく。こうして最終的に画素内の電極の電圧を全て０Ｖとして無電界状態を形成し、表示保持状態とする。ここで、走査ドライバ１４Ａの全出力を非選択電圧としたのは、画素内を無電界状態とする過程において、走査ライン１２を順次選択して全ての第１電極４に０Ｖを印加する場合、あるいは走査ライン１２を全選択した状態で全第１電極４に０Ｖを印加した場合には、第１電極４の電圧が１０Ｖから０Ｖへ急激に変化することになり、急激な内部電界の変化、及び反電場の発生により、帯電泳動粒子３が移動してしまうため、スイッチング素子１０を全てオフにして徐々に第１電極４の電圧を０Ｖにするためである。そして、無電界状態にした後は、走査ドライバ１４Ａに０Ｖ出力信号〈１〉（ＺＥＲＯ１）をハイレベル、リセット信号〈１〉（ＲＳＴ１）、保持信号（ＭＥ）をロウレベルで入力することにより、走査ドライバ１４の全出力を０Ｖとする。
【０１１７】
その他の駆動方法は実施例１と同じにした。
【０１１８】
【発明の効果】
以上説明したように、本発明によると、第１電極における電圧の切り換えタイミングを制御することにより、階調レベルに応じた量の帯電泳動粒子を第１電極へ移動させ、その後、残りを第３電極に移動させる。その結果、表示に関与する第１電極上に分布する帯電泳動粒子の量を制御することができ、かつ、第３電極に移動した帯電泳動粒子は表示には関与しないため、中間調表示を安定的に行うことができる。また、表示に関与する帯電泳動粒子と表示に関与しない帯電泳動粒子を完全に別々の電極（互いに離間している第１電極及び第３電極）へ分離するので、その後も電圧を印加し続けても、第１電極上に分布する帯電泳動粒子の量を変化させず中間調のある静止画を表示し続けることができる。また、画素内を無電界状態にする場合においても、表示に関与しない帯電泳動粒子は、第１電極上とは別の第３電極上に分離されているため、各画素の補助容量に残った電荷により形成される残留電界の影響を受けて移動することはなく、安定な中間調のある静止画表示を行うことができる。さらに残留電界が減少するのに合わせて第３電極の電圧を小さくすることによって、帯電泳動粒子が移動することなく画素内の内部を無電界状態にすることができる。その結果、電力消費を抑制した静止画表示を実現できる。さらに、帯電泳動粒子は画素内の部材近傍を移動するといった動きであり、かつ表示保持状態では画素内の部材及び帯電泳動粒子同士で接触しているため、経時的に安定な静止画表示を行うことにもなる。
【図面の簡単な説明】
【図１】本発明に係る電気泳動表示装置の構造の一例を示す断面図。
【図２】本発明に係る電気泳動表示装置の駆動方法の一例を示す断面図。
【図３】本発明に係る電気泳動表示装置の構造の他の例（アクティブマトリックス型）を示す断面図。
【図４】アクティブマトリックス型電気泳動表示装置の構成を示す回路図。
【図５】アクティブマトリックス型電気泳動表示装置の表示状態の一例を示す模式図。
【図６】書き込み動作（書き込み工程）時の電圧印加条件を説明するための図。
【図７】書き込み動作（書き込み工程）時の各画素の印加電圧を示す模式図。
【図８】書き込み動作期間の長さ等を説明するための図。
【図９】書き込み動作期間の長さ決定方法を説明するための図。
【図１０】表示保持動作における走査方法を説明するための図。
【図１１】表示保持動作時における第３電極の電圧切り換えタイミングを説明するための図。
【図１２】表示保持動作時における第３電極の電圧切り換えタイミングを説明するための図。
【図１３】表示保持動作時における第３電極の電圧切り換えタイミングを説明するための図。
【図１４】電気泳動表示装置の駆動システムの一例を示すブロック図。
【図１５】走査ドライバの内部ブロック図。
【図１６】データドライバの内部ブロック図。
【図１７】動作タイムチャート図。
【図１８】第３電極ドライバの内部ブロック図。
【図１９】動作タイムチャート図。
【図２０】リセット動作時及び書き込み動作時における電圧印加状態を説明するための図。
【図２１】電気泳動表示装置の駆動システムの一例を示すブロック図。
【図２２】第３電極ドライバの内部ブロック図。
【図２３】動作タイムチャート図。
【図２４】電気泳動表示装置の駆動システムの一例を示すブロック図。
【図２５】第３電極ドライバの内部ブロック図。
【図２６】動作タイムチャート図。
【符号の説明】
１ａ          表示基板（表示側基板）
１ｂ          後方基板（後方側基板）
２            絶縁性液体
３            帯電泳動粒子
４            第１電極
５            第２電極
６            第３電極
７            隔壁（間隙部材）
１０          ＴＦＴ（スイッチング素子）
１２          走査ライン
１３          データライン
Ｅ            画素
Ｆ            境界部分
【図１】
2004219841.tif 000003
【図２】
2004219841.tif 000004
【図３】
2004219841.tif 000005
【図４】
2004219841.tif 000006
【図５】
2004219841.tif 000007
【図６】
2004219841.tif 000008
【図７】
2004219841.tif 000009
【図８】
2004219841.tif 000010
【図９】
2004219841.tif 000011
【図１０】
2004219841.tif 000012
【図１１】
2004219841.tif 000013
【図１２】
2004219841.tif 000014
【図１３】
2004219841.tif 000015
【図１４】
2004219841.tif 000016
【図１５】
2004219841.tif 000017
【図１６】
2004219841.tif 000018
【図１７】
2004219841.tif 000019
【図１８】
2004219841.tif 000020
【図１９】
2004219841.tif 000021
【図２０】
2004219841.tif 000022
【図２１】
2004219841.tif 000023
【図２２】
2004219841.tif 000024
【図２３】
2004219841.tif 000025
【図２４】
2004219841.tif 000026
【図２５】
2004219841.tif 000027
【図２６】
2004219841.tif 000028